(57)【要約】【課題】電池電源によるシステム運転可能時間を測定して、電池電源でシステムを運用している最中に、システムを正常に停止できなくなる事態を防止する。【解決手段】中央処理部１１は、予め、二次電池１３と擬似負荷装置１７を接続させて、二次電池１３によるシステム動作可能時間を測定・記録し、商用電源から二次電池１３に切り換わった場合において、電池電源の電力容量が、システムが停止処理に要する時間までシステムをバックアップできなくなるまで低下する前に、システムに対してシステム停止処理要求を通知する。【選択図】  図１
2004312882.tif 000002
【特許請求の範囲】
【請求項１】
システムに接続される無停電電源装置であって、
商用電源の電圧を監視する電源監視手段と、
充電可能な電池電源と、
システムの負荷電力を常時測定する負荷測定手段と、
設定された擬似負荷値と同等の負荷値を有する負荷と同様に、該電池電源から供給される電力を擬似的に消費する擬似負荷手段と、
システムに供給される電源を、商用電源または前記電池電源に切り換える電源切換手段と、
前記負荷測定手段の測定結果を基に、前記擬似負荷手段に擬似負荷値を設定し、該電源切換手段を制御して、前記電池電源を前記擬似負荷装置に接続させ、前記電池電源がシステムの電源となった場合の動作可能時間を測定・記録する測定手段と、
前記電源監視手段により商用電源の電圧低下が検知されたとき、システムへの供給電源を該商用電源から前記電池電源に切り換えてシステムに供給される電力を維持させると共に、前記記録された電池電源の動作可能時間とシステムに停止処理要求を通知してからシステムが停止処理を完了するまでの時間とから、システムに停止処理要求を通知する時刻を求め、該時刻が到来したときにシステムに対してシステム停止処理要求を通知する制御手段と、
を備えることを特徴とする無停電電源装置。
【請求項２】
前記電池電源は、少なくとも１つの充電電池を有する複数のセルから成り、
前記電源切換手段は、個々のセルを個別に前記擬似負荷手段に切り換え接続し、
前記測定手段は、該個々のセルの動作可能時間を測定・記録し、
前記制御手段は、システムへの供給電源を前記電池電源に切り換える際に、前記電源監視装置手段により商用電源の電圧が復帰するまで、前記電池電源からシステムに電力を供給する電源をセル単位で切り換えること、
を特徴とする請求項１記載の無停電電源装置。
【請求項３】
前記制御手段は、前記記録された前記電池電源の動作可能時間を基に、該動作可能時間がシステムが正常に停止処理を完了するために要する時間に満たない場合には、その旨を報知すること、
を特徴とする請求項１記載の無停電電源装置。
【請求項４】
商用電源の電圧を監視する電源監視処理と、
システムの負荷電力を常時測定する負荷測定処理と、
システムに供給される電源を、商用電源または前記電池電源に切り換える電源切換処理と、
前記負荷測定処理の測定結果を基に、設定された擬似負荷値と同等の負荷値を有する負荷と同様に電池電源から供給される電力を擬似的に消費する擬似負荷手段に擬似負荷値を設定し、該電源切換処理により前記電池電源を前記擬似負荷手段に接続させ、前記電池電源がシステムの電源となった場合の動作可能時間を測定・記録する測定処理と、
前記電源監視処理により商用電源の電圧低下が検知されたとき、システムへの供給電源を該商用電源から前記電池電源に切り換えてシステムに供給される電力を維持させると共に、前記記録された電池電源の動作可能時間とシステムに停止処理要求を通知してからシステムが停止処理を完了するまでの時間とから、システムに停止処理要求を通知する時刻を求め、該時刻が到来したときにシステムに対してシステム停止処理要求を通知する制御処理と、
をコンピュータに実行させるプログラム。
【発明の詳細な説明】
【０００１】
【発明の属する技術分野】
本発明は、停電や瞬断等による商用電源の不慮の電圧低下時に、商用電源の代わりとして機器に供給される電力をバックアップする無停電電源装置に関する。
【０００２】
【従来の技術】
銀行のオンラインネットワークや企業の基幹システムは、メインフレームやサーバなどの各種コンピュータがネットワークを介して結合された巨大なコンピュータシステムである。これらのコンピュータシステムでは、コンピュータは、通常、商用電源から電力を供給している。そして、商用電源の不慮の停電や瞬断等によるシステム障害に備えるために、コンピュータやその他の機器に無停電電源装置（ＵＰＳ：Ｕｎｉｎｎｔｅｒｒｕｐｔｉｂｌｅ  Ｐｏｗｅｒ  Ｓｕｐｐｌｙ）を接続されている。無停電電源装置は、商用電源の停電や瞬断時に、バックアップ電源から電力を供給してコンピュータなどの機器を正常に稼働させるための予備電源装置である。バックアップ電源としては、一般に、二次電池が使用されている。
【０００３】
無停電電源装置は、二次電池以外に、二次電池を充電させるための充電器、及び二次電池の直流電圧を交流電圧に変換するインバータなどによって構成されている。無停電電源装置は、システムへの供給電源が商用電源から二次電池に切り替わる際に、コンピュータに供給される電圧の変動を最小限とするように動作する。
【０００４】
【特許文献１】
特開平１１−１４４４５５
【０００５】
【発明が解決しようとする課題】
従来の無停電電源装置は、上述のように、バックアップ電源として二次電池を使用しているため、二次電池の劣化により、当初予定していた機器（システム）のバックアップ時間を満足できない場合があった。このバックアップ時間は、最低でも、機器が停止処理（シャットダウン処理）を完了するまでの時間である必要があり、二次電池が劣化してバックアップ時間が短くなってしまうと、シャットダウン処理が完了する前に、二次電池から機器への電力供給が途絶え、機器のシャットダウン処理が正常に行なわれなくなり、機器の動作が不具合になってしまう。
【０００６】
また、従来の無停電電源装置は、一般的に、一時的に二次電池から電力供給を行い、そのときの二次電池の電圧から劣化を判断するようにしているが、二次電池の電圧から電池残量を導出する方法は誤差が大きく、二次電池寿命の劣化判断方法としては必ずしも適切ではなかった。
【０００７】
本発明は、無停電電源装置に接続されているシステムと同等の電力を擬似的に消費する擬似負荷装置を設け、この擬似負荷装置を用いて、電池電源からシステムに電力を供給するようにした場合におけるシステムの動作可能時間を測定できるようにすると共に、電池電源の劣化を正確に検出できるようにすることを目的とする。
【０００８】
【課題を解決するための手段】
本発明は、システムに接続される無停電電源装置であり、商用電源の電圧を監視する電源監視手段と、充電可能な電池電源と、システムの負荷電力を常時測定する負荷測定手段と、設定された擬似負荷値と同等の負荷値を有する負荷と同様に、該電池電源から供給される電力を擬似的に消費する擬似負荷手段と、システムに供給される電源を、商用電源または前記電池電源に切り換える電源切換手段と、前記負荷測定手段の測定結果を基に、前記擬似負荷手段に擬似負荷値を設定し、該電源切換手段を制御して、前記電池電源を前記擬似負荷装置に接続させ、前記電池電源がシステムの電源となった場合の動作可能時間を測定・記録する測定手段と、前記電源監視手段により商用電源の電圧低下が検知されたとき、システムへの供給電源を該商用電源から前記電池電源に切り換えてシステムに供給される電力を維持させると共に、前記記録された電池電源の動作可能時間とシステムに停止処理要求を通知してからシステムが停止処理を完了するまでの時間とから、システムに停止処理要求を通知する時刻を求め、該時刻が到来したときにシステムに対してシステム停止処理要求を通知する制御手段とを備えることを特徴とする。
【０００９】
また、上記構成の無停電電源装置において、前記電池電源は、少なくとも１つの充電電池を有する複数のセルから成り、前記電源切換手段は、個々のセルを個別に前記擬似負荷手段に切り換え接続し、前記測定手段は、該個々のセルの動作可能時間を測定・記録し、前記制御手段は、システムへの供給電源を前記電池電源に切り換える際に、前記電源監視装置手段により商用電源の電圧が復帰するまで、前記電池電源からシステムに電力を供給する電源をセル単位で切り換えるような構成にすることもできる。
【００１０】
また、上記構成の無停電電源装置において、前記制御手段は、前記記録された前記電池電源の動作可能時間を基に、該動作可能時間がシステムが正常に停止処理を完了するために要する時間に満たない場合には、その旨を報知するような構成にすることもできる。
【００１１】
上記構成の本発明の無停電電源装置によれば、負荷値を設定可能で、かつ電池電源から供給される電力を該負荷値を有する負荷と同等に擬似的に消費する擬似負荷装置を設けたので、該擬似負荷装置にシステムの負荷値を設定し、電池電源を該擬似負荷装置と接続することにより、電池電源によるシステムの動作可能時間を測定・記録できる。そして、この測定された動作可能時間とシステムの停止処理に要する時間から、電池電源をバックアップ電源として使用した際に商用電源の復旧が遅れた場合などにおいても、システムに対して適切なタイミングで停止処理要求を通知して、システムが停止処理を正しく完了できるようにさせることができる。また、電池電源がバックアップ電源として機能できないほど劣化していることを検出・報知できる。
【００１２】
【発明の実施の形態】
以下、図面を参照しながら、本発明の実施形態を説明する。
図１は、本発明の一実施形態のシステム構成を示すブロック図である。
同図に示す無停電電源装置１は、中央処理部１０、電源監視部１１、電池充電部１２、二次電池部１３、第１の電池電源出力部１４Ａ，第２の電池電源出力部１４Ｂ，電源切換部１５、負荷測定部１６、擬似負荷部１７及びマンマシンインターフェース部１８から構成されている。
【００１３】
電源監視部１１は、ａ線を介して商用電源（不図示）から供給される電圧を監視し、該電圧低下の異常を感知したときには商用電源電圧低下通知を中央処理部１０に通知する。電源監視部１１は、また、該電圧低下感知後に、商用電源の供給電圧が正常値に戻ったときには、中央処理部１０に商用電源電圧復帰通知を中央処理部１０に通知する。上記２つの通知はｈ線を介して中央処理部１０に通知される。
【００１４】
電池充電部１２は、ａ線を介して入力される商用電源からの交流電力を直流電力に変換し、該直流電力を二次電池部１３に供給して二次電池部１３の二次電池を充電させる。電池充電部１２は、二次電池部１３に供給している充電電力値を中央処理部１０に通知すると共に、二次電池部１３を充電している間は二次電池部１３が充電中である旨を中央処理部１０に通知する。
【００１５】
中央処理部１０は、無停電電源装置１全体の制御部であり、無停電電源装置１に接続される不図示のシステムとのインターフェースであるｐ線を介してシステムに停止処理要求を通知する。システムは、中央処理部１０から該停止処理要求を受け取ると、速やかに停止処理（シャットダウン処理）を実行する。
【００１６】
二次電池部１３は、充放電可能な二次電池を備え、第１の電池電源出力部１４Ａと第２の電池電源出力部１４Ｂに電力を供給する。第１の電池電源出力部１４Ａへの電力供給はｃ線を介して、第２の電池電源出力部１４Ｂへの電力供給はｃ’線を介して行なわれる。二次電池部１３は、並列接続された４個の二次電池（Ｄ１，Ｄ２、Ｄ３，Ｄ４）を有している。本実施形態では、Ｄ１とＤ２，Ｄ３とＤ４をそれそれ組（セル）としており、Ｄ１とＤ２から成るセル（第１のセル）からの電力（直流電力）がｃ線を介して第１の電池電源出力部１４Ａに供給され、Ｄ３とＤ４から成るセル（第２のセル）からの電力（直流電力）がｃ’線を介して第２の電池電源出力部１４Ｂに供給される。本実施形態では、二次電池部１３を２セル構成としているが、本発明においては、二次電池部１３の電池（二次電池）数は限定されるものではなく、１セル当たりの電池数も限定されるものでない。
【００１７】
第１の電池電源出力部１４Ａと第２の電池電源出力部１４Ｂは、共に、直流電力を交流電力に変換する装置である。第１の電池電源出力部１４Ａは、変換した交流電力をｄ線を介して電源切換部１５に出力する。第２の電池電源出力部１４Ｂは、変換した交流電力をｄ’線を介して電源切換部１５に出力する。第１の電池電源出力部１４Ａと第２の電池電源出力部１４Ｂは、それそれ、ｍ、ｍ’線を介して中央処理部１１により所定の交流電圧値を設定される。そして、第１の電池電源出力部１４Ａと第２の電池電源出力部１４Ｂは、変換後の交流電圧が上記設定電圧を下回った場合には、それぞれ、ｌ線、ｌ’線を介して中央処理部１０にその旨を通知する。
【００１８】
電源切換部１５は、商用電源からの交流電力をａ線から、第１の電池電源出力部１４Ａからの交流電力をｄ線から、第２の電池電源出力装置１４Ｂからの交流電力をｄ’線からそれぞれ入力し、ｉ線から入力される中央処理部１０からの選択信号に応じて、上記３つの交流電力のいずれかを負荷測定部１６または擬似負荷部１７に出力する。電源切換部１５は、負荷測定部１６には、商用電源からの交流電力、または第１の電池電源出力部１４Ａもしくは第２の電池電源出力部１４Ｂからの交流電力をｅ線を介して出力する。また、電源切換部１５は、ｇ線を介して、第１の電池電源出力部１４Ａまたは第２の電池電源出力部１４Ｂからの交流電力を擬似負荷部１７に出力する。
【００１９】
負荷測定部１６は、電源切換部１５から入力される交流電力をシステムに供給する。負荷測定部１６は、本無停電電源装置１に接続されるシステムの負荷電力を絶えず測定し、その測定値をｊ線を介して中央処理部１０に通知する。
擬似負荷部１７は、ｋ線を介して中央処理部１０から擬似負荷値を設定される。そして、擬似負荷部１７は、この擬似負荷値を基に電源切換部１５から入力される第１の電池電源出力部からの交流電力または第２の電池電源出力部１４Ｂからの交流電力を擬似的に消費する。擬似負荷部１７は、一般的な交流低電流負荷として機能し、本無停電電源装置１に接続されているシステムの消費電流と同等の負荷を擬似的に再現できる。例えば、負荷測定部１６によって測定されたシステムの消費電流が５Ａ（アンペア）であった場合、擬似負荷部１７に５Ａの設定をすると、システムと同等の負荷を擬似的に再現できる。そして、電源切換部１５を介して二次電池部１３（第１の電池電源出力部１４Ａまたは第２の電池電源出力部１４Ｂ）を擬似負荷部１７と接続することにより、二次電池部１３の各セルをシステムと接続した場合におけるシステムの運転可能時間（電池駆動可能時間）を測定することができる。
【００２０】
仮に、擬似負荷部１７の力率を１とすると、システムの消費電流が５Ａであった場合、交流負荷としては５００Ｗ（ワット）の電力がシステムに必要とされる。ここで、第１の電池電源出力部１４Ａ及び第２の電池電源出力部１４Ｂの直流／交流変換効率を５０％とした場合、直流電源として必要な電力は１０００ｗとなる。また、仮に、二次電池部１３の１セル（ブロック）の電圧を２０Ｖとした場合、二次電池部１３の各セルは電池電源として５０Ａを供給可能であればよい。そして、初期時点（電池未劣化）において要求される電池駆動時間を１時間とすれば、５０Ａｈの電力供給能力を持つ（１セルの）電池を二次電池部１３に準備すればよいことになる。
【００２１】
マンマシンインターフェース部１８は、キーボードなどの入力装置やＣＲＴや液晶ディスプレイなどの表示装置を備え、ｏ線を介して、中央処理部１０に、二次電池１３の各セルの電池駆動時間測定開始時刻、システムの許容最低電圧値、システムの停止処理時間等を設定することができる。また、中央処理部１０から商用電源情報、二次電池装置情報、システム負荷情報をｎ線を介して入力し、それらの入力情報を（表示等により）報知することができる。
【００２２】
上記構成の無停電電源装置１の動作を説明する。
図２は、二次電池部１３の電池駆動時間を測定する処理を説明するフローチャートである。本実施形態では、二次電池部１３は２つのセルに分かれ、これら２つのセルが商用電源のバックアップ電源として機能するので、二次電池部１３の電池駆動時間の測定は各セル毎に独立で行なわれる。したがって、例えば、一方のセルが充電中のとき、他方のセルの電池駆動時間を測定する。図２のフローチャートは、二次電池部１３の個々のセルの電池駆動時間を測定する処理を説明するフローチャートであり、このフローチャートの処理は、各セルに対して独立に行われる。
【００２３】
まず、中央処理部１０は、擬似負荷部１７を利用して二次電池部１３の測定対象セル（以下、該当セル）の電池駆動時間測定開始時刻であるか判断する（Ｓ１１）。そして、該当セルの電池駆動時間測定開始時刻であれば、該当セルが電池充電部１２により充電中であるか判断する（Ｓ１２）。中央処理部１０は、該当セルが充電中でないと判断すると、該当セルの電池駆動時間の測定を開始するための準備処理を行なう（Ｓ１３）。また、ステップＳ１１で電池駆動時間測定開始時刻でないと判断した場合もしくはステップＳ１２で該当セルが充電中であると判断した場合は処理を終了する。
【００２４】
ステップＳ１３における電池駆動時間測定開始準備処理は、中央処理部１０が既知のシステム実負荷値（負荷測定部１６によって測定される）を擬似負荷部１７に設定し、電源切換部１５の出力を該当セルに対応する電池電源出力部（第１の電池電源出力部１４Ａまたは第２の電池電源出力部１４Ｂ）に切換接続させる処理である。このようにして、該当セルの電池駆動時間測定の準備が終了すると、中央処理部１０は、該当セルの電池駆動時間の測定を開始する（Ｓ１４）。
【００２５】
中央処理部１０は、該当セルの電池駆動時間（動作可能時間）を測定している間、電池電源出力部からの電池電源低下通知の有無を判断し（Ｓ１５）、電池電源低下通知が無ければ、ステップＳ１４で該当セルの電池駆動時間測定を続行する。
【００２６】
中央処理部１０は、ステップＳ１５において、電池電源出力装置からの電池電源低下通知が有ると判断すると、該当セルの電池駆動時間の測定を終了し（Ｓ１６）、その測定時間を該当セルの電池駆動時間として不図示の記憶装置に記録する（Ｓ７）。そして、電源切換部１５を制御して電池電源出力装置の出力を負荷測定部１６から切り離し（Ｓ１８）、処理を終了する。ステップＳ１８の処理により、該当セルと擬似負荷部１７との接続は切断される。
【００２７】
中央処理部１０は、上記図２のフローチャートに示す処理を、二次電池部１３の２つのセルに対して実施して、それら２つのセルについて測定した電池駆動時間を記録すると共に、２つのセルの電池駆動時間の合計値を二次電池部１３の運転可能時間（二次電池１３によるシステムの動作可能時間）として記録する。また中央処理部１１は、二次電池部１３の個々のセルについて、充電済みであるか否かを示す情報を記録する。
【００２８】
図３は、電源監視部１１の処理を説明するフローチャートである。
電源監視部１１は、ａ線から電源切換部１５に供給される商用電源（不図示）の電圧を、常時、測定し（Ｓ２１）、商用電源の電圧低下（異常）が発生していないか判断する（Ｓ２２）。そして、電圧低下が無ければ、ステップＳ２１に戻り、商用電源の電圧監視を続けるが、商用電源の電圧に低下があれば、商用電源電圧低下通知を中央処理部１０に通知する（Ｓ２３）。
【００２９】
その後、電源監視部１１は、さらに、商用電源の電圧を測定し（Ｓ２４）、該電圧値が正常値に復帰したか判断する（Ｓ２５）。そして、商用電源の電圧が正常な値に復帰していなければ、ステップＳ２４に戻り、商用電源の電圧測定を続行する。一方、電源監視部１１は、ステップＳ２５において、商用電源の電圧が正常値に復帰したと判断すると、中央処理部１０に商用電源電圧復帰通知を出力し（Ｓ２６）、ステップＳ２１に戻る。
【００３０】
このように、本無停電電源装置１においては、電源監視部１１により商用電源の電圧が、常時、測定され、商用電源の電圧が低下した場合には商用電源電圧低下通知が中央処理部１１に通知される。そして、その後、商用電源の電圧が正常値に復帰した場合には商用電源電圧復帰通知が中央処理部１０に通知される。電源監視部１１は、システムが稼働している間、図３のフローチャートに示す処理を行う。
【００３１】
図４は、中央処理部１０が電源監視部１１から電池電源低下通知を受け取ったときに行なう割り込み処理を説明するフローチャートである。
中央処理部１０は、商用電源電圧低下通知を電源監視部１１から受け取ると、電源切換部１５を制御し、システムに供給する電源を商用電源から電池電源（二次電池部１３の使用可能なセル）に切り換える（Ｓ３１）。
【００３２】
その後、電池電源出力部（第１の電池電源出力部１４Ａまたは第２の電池電源出力部１４Ｂ）から電池電源低下通知が有るか判断し（Ｓ３２）、電池電源低下通知が無ければ、ステップＳ３２に戻り、再び、電池電源低下通知が有るか判断する。
【００３３】
中央処理部１０は、ステップＳ３２において、電池電源低下通知が有ると判断すると、電源切換部１５を制御して、システム電源を未使用の電池電源（未使用のセル）に切り換える（Ｓ３３）。続いて、その新たな電池電源の電池駆動時間とシステム終了処理時間からシステム停止処理要求の発行時期であるか調査する（Ｓ３４）。そして、該調査結果に基づきシステム停止要求の発行時期であるか判断し（Ｓ３５）、該発行時期でなければ、ステップＳ３４に戻り、再度、上記調査を行なう。ステップＳ３４における調査処理の詳細については、後述する。
【００３４】
中央処理部１０は、ステップＳ３５において、システム停止処理要求の発行時期であると判断すると、システムに対してシステム停止処理要求を通知し（Ｓ３６）、処理を終了する。システムは、本無停電電源装置１からシステム停止処理要求を受け取ると、システムの稼働状態にかかわらず、システムを停止（シャットダウン）する処理を行う。
【００３５】
図５は、中央処理部１０が電源監視部１１から商用電源電圧復帰通知を受け取ったときに実施する割り込み処理を説明するフローチャートである。
中央処理部１０は、電源監視部１１から商用電源電圧復帰通知を受け取ると、電源切換部１５を制御して、システムへの供給電源を電池電源（二次電池部１３）から商用電源に切り換え（Ｓ４１）、処理を終了する。
【００３６】
この割り込み処理により、商用電源の電圧が正常値に戻ると、システムへの供給電源は二次電池１３から商用電源に切り替えられる。
ここで、図６のタイミングチャートを参照しながら、図４のフローチャートのステップＳ３４におけるシステム停止処理要求発行時期の調査処理を説明する。
【００３７】
同図において、縦軸は、電圧値（ｖ：ボルト）を示し、横軸は時刻（Ｔ）を示す。また、ａは商用電源の正常電圧値、ｂはシステムの許容最低電圧値を示す。同図に示すように、商用電源の電圧が、時刻ＴＡにおいてａからｂに低下すると、電源監視部１１から商用電源電圧低下通知が中央処理部１０に出力され、中央処理部１０の制御により、電源切換部１５を介して、システムへの供給電源が商用電源から二次電池部１３に切り換わる。このとき、二次電池部１３の一方のセルが電池電源として使用される。前期記憶装置から読み出したこのセルの電池駆動時間がｔ０であるとすると、時刻ＴＢにおいて電池電源出力部（上記最初に選択されたセルに対応する電池電源出力部）から電池電源低下通知が中央処理部１０に出力される。中央処理部１０は、この電池電源低下通知を受け取ると、電源切換部１５を制御して、システムへの供給電池電源を、二次電池部１３の残りのセルに切り換える。
【００３８】
中央処理部１０は、前記記憶装置から新たな電池電源となったセルの電池駆動時間ｔ１を読み出し、マンマシンインターフェース部１８を介して設定・記憶されたシステム停止処理時間（システム終了処理時間）ｔ２とから、ｔ１−ｔ２（＝ｔａ）を算出し、時刻ＴＢと時間ｔａとから時刻ＴＣを割り出し、この時刻ＴＣをシステム停止処理要求の発行時刻と判断する。
【００３９】
ところで、上記時間ｔａをどの程度に設定するかは、システム設計者に委ねる決定事項である。また、二次電池部１３の該当セルの劣化により、時間（ｔ０＋ｔ１）が時間ｔ２以下となった場合は、二次電池１３をバックアップ電源として使用してもシステムを正常に終了させることが不可能となるため、二次電池部１３の交換時期であると判断することができる。この場合、中央処理部１０はマンマシンインターフェース部１８にこの旨を通知し、マンマシンインターフェース部１８は表示等により報知する。
【００４０】
【発明の効果】
以上説明したように、本発明によれば、接続されるシステムの商用電源のバックアップ用の電池電源がシステムの電源として使用された場合の動作可能時間を擬似的に測定できるようにしたので、システムの電源を商用電源から電池電源に切り替えて電池電源によりシステムを運用中において、システムに対して適切なタイミングで処理停止要求を通知し、システムを正しく停止させることが可能となる。また、電池電源が劣化してバックアップ電源として機能できない状態にあることを検知でき、電池電源の交換が必用である旨などを報知することができる。
【図面の簡単な説明】
【図１】本発明の一実施形態である無停電電源装置のシステム構成を示すブロック図である。
【図２】二次電池の各セルの駆動時間の測定処理を説明するフローチャートである。
【図３】電源監視部により行われる商用電源の電圧監視用の割り込み処理を説明するフローチャートである。
【図４】中央処理部が商用電源電圧低下通知を受け取って行なう割り込み処理を説明するフローチャートである。
【図５】中央処理部が商用電源の電圧復帰通知を受け取って行なう割り込み処理を説明するフローチャートである。
【図６】商用電源の電圧低下が発生し、システムの電源を二次電池に切り替えた場合において、システムに対してシステム停止処理要求を通知する時期を決定する方法を説明するタイミングチャートである。
【符号の説明】
１０      中央処理部
１１      電源監視部
１２      充電部
１３          二次電池部
１４Ａ    第１の電池電源出力部
１４Ｂ    第２の電池電源出力部
１５      電源切換部
１６      負荷測定部
１７      擬似負荷部
１８      マンマシンインターフェース部
【図１】
2004312882.tif 000003
【図２】
2004312882.tif 000004
【図３】
2004312882.tif 000005
【図４】
2004312882.tif 000006
【図５】
2004312882.tif 000007
【図６】
2004312882.tif 000008